(57)【特許請求の範囲】
【請求項１】
受け台を上下及び前後方向に可動させる昇降部材及び移送部材と、
前記受け台上に設置されて左右運動する左右運動部と、
を備え、
前記左右運動部は、
前記受け台上に前記受け台と直交するように配置される一対の支持プレートと、
一側は前記支持プレートに回動可能に設置され、他側は前記受け台に固定された支持バーに回動可能に設置される複数の回動バーと、
前記支持プレートの一側に設置されて前記支持プレートを左右移送する左右移送部と、
を含む、
ことを特徴とする、多方向往復運動装置。
【請求項２】
前記回動バーは、
中空のリング形状であって、且つ、前記支持バー及び前記支持プレートの一側に各々設置されるベアリングを収容する２つのハウジングと、
前記２つのハウジングの間に設置される連結バーと、
を含む、
ことを特徴とする、請求項１に記載の多方向往復運動装置。
【請求項３】
前記左右移送部は、
前記支持プレートの一側に前記支持プレートに対して垂直に設置され、且つ、前記支持プレートと連動して可動する垂直プレートと、
前記垂直プレートの一側面に回動可能に設置される駆動プーリーと、
前記駆動プーリーに連動する従動プーリーと、
前記従動プーリーの一側面に偏心設置される移送バーと、
前記移送バーの一部分を回動可能に前記受け台に設置する連結バーと、
を含む、
ことを特徴とする、請求項１又は２に記載の多方向往復運動装置。
【請求項４】
前記駆動プーリーを駆動する左右駆動部をさらに含み、
前記左右駆動部は、
外部動力により回転するものであって、
前記垂直プレートの他側面に設置される第１プーリーと、
前記第１プーリーの一側に配置されて連動し、かつ、前記駆動プーリーと直接連結される第２プーリーと、
を含む、
ことを特徴とする、請求項３に記載の多方向往復運動装置。
【請求項５】
前記第１プーリーに連結され、前記第１プーリーを駆動する動力ケーブルをさらに含み、前記動力ケーブルは外部動力により回転することを特徴とする、請求項４に記載の多方向往復運動装置。
【請求項６】
請求項１から５のいずれか１項に記載された多方向往復運動装置を含む乗馬運動装置であって、
前記支持プレートの両側端に前記受け台の方向に沿って設置された、鞍が設置される鞍支持台と、
一側は前記鞍支持台に設置され、他側は前記多方向往復運動装置の支持フレームの一側に設置される支持バーユニットと、
前記支持バーユニットに設置されて前記鞍に座る使用者を支持する支持具と、
を含むことを特徴とする、乗馬運動装置。
【請求項７】
前記支持バーユニットは、
前記鞍支持台の両側に回動可能に設置され、かつ前記鞍支持台に対して垂直方向に設置される後方支持バーと、
前記多方向往復運動装置の前記支持フレームの一側に前記鞍支持台に対して垂直方向に設置される前方支持バーと、
前記後方支持バーと前方支持バーとを連結する水平支持バーと、
を含むことを特徴とする、請求項６に記載の乗馬運動装置。
【請求項８】
前記水平支持バーは、前記前方支持バーに対して上下方向に回動可能に設置される、且つ、前記前方支持バーに対して水平方向に回動可能に設置される、ことを特徴とする、請求項７に記載の乗馬運動装置。
【請求項９】
前記前方支持バーは、コの字の形状を持ち、前記前方支持バーの開放された両側端が前記支持フレームに当接するように設置され、
前記水平支持バーは、コの字の形状を持ち、開放された前記水平支持バーの両側端は前記後方支持バーに対して各々上下方向回動可能に前記後方支持バーに設置され、
前記水平支持バーと前記前方支持バーとの間には、
前記前方支持バーに対して水平方向に設置されて、前記水平支持バーを前記前方支持バーに対して上下方向回動可能にするように構成されたピン部材と、
一側は前記ピン部材に設置され、他側は前記水平支持バーに設置され、かつ前記水平支持バーを前記前方支持バーに対して水平方向に回動可能にするように構成されたヒンジ部材とを備えることを特徴とする、
請求項８に記載の乗馬運動装置。
【請求項１０】
請求項６から９のうちのいずれか一項に記載された乗馬運動装置の使用方法であって、
前記鞍に座っている前記使用者に前記支持具を装着し、前記支持具を前記支持バーユニットに固定した状態で、
前記多方向往復運動装置に設置された前記左右運動部により前記鞍を左右方向に運動させ、且つ、前記多方向往復運動装置に設置された前記昇降部材及び前記移送部材により前記鞍を上下方向及び前後方向に運動させることを特徴とする、乗馬運動装置の使用方法。
【発明の詳細な説明】
【技術分野】
【０００１】
本発明は、多方向往復運動装置と多方向往復運動装置を用いた乗馬運動装置及び乗馬運動方法に関する。
【背景技術】
【０００２】
一般に、乗馬は老若男女誰でも楽しむことができる全身運動であって、このような乗馬は他の運動とは異なり、腰をまっすぐに伸ばして行う運動であって、姿勢矯正の助けになり、また揺れている馬の上に乗ることにより腸機能強化の助けとなり、特に女性や学生の便秘症、男性の前立腺疾患などに効果があり、さらに、肺活量の向上と下腿や太ももなどの下半身強化の助けにもなる。
【０００３】
したがって、乗馬をすれば上体が正しく矯正され、腰が柔軟になり、精神集中力と身体のリズム感を養うことができ、肺活量が増えて、骨盤が丈夫になると共に、胆力を養うことができ、身体の各部分の平衡感覚と柔軟性などを養って正しい身体発達を助ける。
【先行技術文献】
【特許文献】
【０００４】
【特許文献１】韓国登録特許第１０−０４６９６４５号
【発明の概要】
【発明が解決しようとする課題】
【０００５】
乗馬は全身運動に卓越な効果を得ることができることが知られており、このような乗馬を楽しむことができるようにした模擬乗馬器具が多数提示されている。これについて図１を参照して説明する。
【０００６】
図１は韓国登録特許第１０−０４６９６４５号に開示されたものであって、図示したように、前記従来の乗馬器具は、鞍（図示せず）が設置される受け台１０、前記受け台１０を前後方向に移動させる移送部材２０、及び前記受け台１０を上下方向に移動させる昇降部材３０を含んでいる。
【０００７】
前記従来の乗馬器具は、このような移送部材２０と昇降部材３０を用いて、前記受け台１０に設置される鞍を前後方向及び上下方向に移動させることにより、乗馬運動をする。
【０００８】
しかし、前述した従来の乗馬器具は、鞍を左右方向に移動し難い構成を有しており、さらに、従来の乗馬器具においては、特に身体が虚弱な患者のような使用者は乗馬運動時に乗馬器具から落下することがあり、使用上の危険性があるという問題があった。
【０００９】
そこで、本発明は、上記問題に鑑みてなされたものであり、本発明の目的とするところは、左右方向の運動を可能にし、且つ、安全に乗馬運動を楽しむことが可能な、新規かつ改良された多方向往復運動装置とこれを用いた乗馬運動装置及び乗馬運動方法を提供することにある。
【課題を解決するための手段】
【００１０】
上記課題を解決するために、本発明のある観点によれば、受け台を上下及び前後方向に可動させる昇降部材及び移送部材と、前記受け台上に設置されて左右運動する左右運動部と、を備え、前記左右運動部は、前記受け台上に前記受け台と直交するように配置される一対の支持プレートと、一側は前記支持プレートに回動可能に設置され、他側は前記受け台に固定された支持バーに回動可能に設置される複数の回動バーと、前記支持プレートの一側に設置されて前記支持プレートを左右移送する左右移送部と、を含む、ことを特徴とする、多方向往復運動装置が提供される。
【００１１】
前記回動バーは、中空のリング形状であって、且つ、前記支持バー及び前記支持プレートの一側に各々設置されるベアリングを収容する２つのハウジングと、前記２つのハウジングの間に設置される連結バーと、を含んでもよい。
【００１２】
前記左右移送部は、前記支持プレートの一側に前記支持プレートに対して垂直に設置され、且つ、前記支持プレートと連動して可動する垂直プレートと、前記垂直プレートの一側面に回動可能に設置される駆動プーリーと、前記駆動プーリーに連動する従動プーリーと、前記従動プーリーの一側面に偏心設置される移送バーと、前記移送バーの一部分を回動可能に前記受け台に設置する連結バーと、を含んでもよい。
【００１３】
前記駆動プーリーを駆動する左右駆動部をさらに含み、前記左右駆動部は、外部動力により回転するものであって、前記垂直プレートの他側面に設置される第１プーリーと、前記第１プーリーの一側に配置されて連動し、かつ、前記駆動プーリーと直接連結される第２プーリーと、を含んでもよい。
【００１４】
前記第１プーリーに連結され、前記第１プーリーを駆動する動力ケーブルをさらに含み、前記動力ケーブルは外部動力により回転するようにしてもよい。
【００１５】
また、上記課題を解決するために、本発明の別の観点によれば、上記多方向往復運動装置を含む乗馬運動装置であって、前記支持プレートの両側端に前記受け台の方向に沿って設置された、鞍が設置される鞍支持台と、一側は前記鞍支持台に設置され、他側は前記多方向往復運動装置の支持フレームの一側に設置される支持バーユニットと、前記支持バーユニットに設置されて前記鞍に座る使用者を支持する支持具と、を含むことを特徴とする、乗馬運動装置が提供される。
【００１６】
前記支持バーユニットは、前記鞍支持台の両側に回動可能に設置され、かつ前記鞍支持台に対して垂直方向に設置される後方支持バーと、前記多方向往復運動装置の前記支持フレームの一側に前記鞍支持台に対して垂直方向に設置される前方支持バーと、前記後方支持バーと前方支持バーとを連結する水平支持バーと、を含んでもよい。
【００１７】
前記水平支持バーは、前記前方支持バーに対して上下方向に回動可能に設置される、且つ、前記前方支持バーに対して水平方向に回動可能に設置されてもよい。
【００１８】
前記前方支持バーは、コの字の形状を持ち、前記前方支持バーの開放された両側端が前記支持フレームに当接するように設置され、前記水平支持バーは、カナカナのコの字の形状を持ち、開放された前記水平支持バーの両側端は前記後方支持バーに対して各々上下方向回動可能に前記後方支持バーに設置され、前記水平支持バーと前記前方支持バーとの間には、前記前方支持バーに対して水平方向に設置されて、前記水平支持バーを前記前方支持バーに対して上下方向回動可能にするように構成されたピン部材と、一側は前記ピン部材に設置され、他側は前記水平支持バーに設置され、かつ前記水平支持バーを前記前方支持バーに対して水平方向に回動可能にするように構成されたヒンジ部材とを備えてもよい。
【００１９】
また、上記課題を解決するために、本発明のさらなる別の観点によれば、上記乗馬運動装置の使用方法であって、前記鞍に座っている前記使用者に前記支持具を装着し、前記支持具を前記支持バーユニットに固定した状態で、前記多方向往復運動装置に設置された前記左右運動部により前記鞍を左右方向に運動させ、且つ、前記多方向往復運動装置に設置された前記昇降部材及び前記移送部材により前記鞍を上下方向及び前後方向に運動させることを特徴とする、乗馬運動装置の使用方法が提供される。
【発明の効果】
【００２０】
以上説明したように本発明によれば、左右方向の運動を可能にし、且つ、安全に乗馬運動を楽しむことが可能である。
【図面の簡単な説明】
【００２１】
【図１】従来の乗馬装置を説明する概念図である。
【図２】本発明の一実施形態に係る多方向往復運動器具を従来の乗馬装置と分離して示す分離斜視図である。
【図３ａ】本発明の一実施形態に係る多方向往復運動器具の拡大図（その１）である。
【図３ｂ】本発明の一実施形態に係る多方向往復運動器具の拡大図（その２）である。
【図４】本発明の一実施形態に係る左右移送部を示す一部斜視図である。
【図５】本発明の一実施形態に係る動力伝達部及び動力ケーブルの動力伝達過程を示す概念図である。
【図６】本発明の一実施形態に係る動力ケーブルに動力を伝達することを示す概念図である。
【図７】本発明の一実施形態に係る乗馬運動装置を説明する斜視図及び一部拡大図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、図面に図示された線の太さや構成要素のサイズなどは、説明の明瞭性と便宜上、誇張して図示されることがある。
【００２３】
また、本明細書及び請求範囲に使われた用語や単語は、通常的で、かつ辞典的な意味として解釈されてはならず、発明者がその自身の発明を最も最善の方法により説明するために用語の概念を適切に定義することができるという原則に踏まえて、本発明の技術的思想に符合する意味と概念として解釈されなければならない。
【００２４】
また、後述する用語は、本発明での機能を考慮して定義された用語であって、後述する用語の定義は、使用者、運用者の意図または慣例によって変わることができる。したがって、このような用語に対する定義は本明細書の全般に亘る内容に基づいて定義されるべきである。
【００２５】
添付した図２は本発明の一実施形態に係る多方向往復運動器具を、従来の乗馬装置と同様に構成される部位と、その他の部位とで分離して示す分離斜視図、図３ａ及び図３ｂは本発明の一実施形態に係る多方向往復運動器具の拡大図、図４は本発明の一実施形態に係る左右移送部を示す一部斜視図、図５は本発明の一実施形態に係る動力伝達部及び動力ケーブルの動力伝達過程を示す概念図、図６は本発明の一実施形態に係る動力ケーブルでの動力伝達を説明する概念図、図７は本発明の一実施形態に係る乗馬運動装置を説明する斜視図及び一部拡大図である。
【００２６】
本発明は、左右方向に運動可能な多方向運動装置と多方向運動装置を用いた乗馬運動装置２００を含んでおり、まず前記多方向運動装置について説明する。
【００２７】
本発明の一実施形態に係る多方向運動装置は、図２及び図３ａに示すように、受け台１０を上下及び前後方向に運動させる昇降部材３０及び移送部材２０を含む往復運動器具であり、さらに前記受け台１０上に設置されて左右運動する左右運動部１００を含む。
【００２８】
即ち、従来の受け台１０上に本発明の左右運動部１００が設置されるものであり、前記従来の受け台１０及び昇降部材３０と移送部材２０は、韓国登録特許第１０−０４６９６４５号に記載されたものであることを明らかにする。
【００２９】
左右運動部１００は、前記受け台１０上に直交する方向に配置される一対の支持プレート１１０、前記支持プレート１１０と受け台１０との間に回動可能に設置される回動バーＢ、及び前記支持プレート１１０を左右移送する左右移送部１２０を含む。
【００３０】
即ち、前記左右移送部１２０により前記支持プレート１１０が左右方向に移送され、前記支持プレート１１０は、前記回動バーＢにより支持されて、あたかもブランコ運動のような原理により左右方向に移送される。
【００３１】
さらに、図３ａ及び図３ｂに示すように、前記回動バーＢの一側は前記支持プレート１１０に回動可能に設置され、他側は前記受け台１０に固定された支持バーＦに回動可能に設置される。即ち、前記受け台１０は、固定された状態であるので、前記受け台１０に固定された支持バーＦもやはり固定された状態である。加えて、前記回動バーＢは前記支持バーＦと支持プレート１１０との間に回動可能に設置されるので、前記回動バーＢがブランコ運動のような動作を行うことができる。
【００３２】
前記回動バーＢがブランコ運動のような動作を行うために、前記回動バーＢはリング状のハウジングＢ１を含み、さらに、前記支持バーＦ及び支持プレート１１０に回転可能に設置されるベアリングＢＲＧがハウジングＢ１に収容される。前記回転バーＢは、前記両ハウジングＢ１の間を連結する連結部Ｂ２を含み、前述したようにブランコ運動をすることができる。
【００３３】
一方、前記支持バーＦは図示したように、前記受け台１０に垂直方向に固定される垂直部Ｆ１と、前記垂直部Ｆ１の一側で水平方向に折り曲げられて前記ベアリングＢＲＧが回動可能に設置される水平部Ｆ２とを含むことができる。この際、前記支持バーＦは前記支持プレート１１０の各々に一対ずつ設置されることができ、前記支持バーＦは、２つの前記支持プレート１１０の間に設置され、支持バーＦを連結する連結部ＦＳを含むことも可能である。
【００３４】
一方、前記左右移送部１２０は、前述したように、前記支持プレート１１０の一側に設置されて前記支持プレート１１０を左右に移送するものであって、多様な構成を有することができる。図３ａ、図３ｂ、及び図４に示すように、前記左右移送部１２０は、前記支持プレート１１０の一側に垂直方向に設置されて前記支持フレーム１１０と連動する垂直プレート１２２を含むことができる。
【００３５】
この際、前記垂直プレート１２２の一側面に回動可能に設置される駆動プーリー１２３、前記駆動プーリー１２３に連動する従動プーリー１２４、前記従動プーリー１２４の一側面に偏心設置される移送バー１２５、及び前記移送バー１２５の一部分が回動可能に設置され、さらに、前記左右移送部１２０は、前記受け台１０に固定される固定バー１２６を含むことも可能である。
【００３６】
即ち、前記垂直プレート１２２は前記支持プレート１１０と連動するものであって、前記垂直プレート１２２の左右移動により前記支持プレート１１０が左右移動するものである。
【００３７】
このために、前記左右移送部１２０は、前記従動プーリー１２４と前記従動プーリー１２４の一側に偏心設置される移送バー１２５とを含み、前記移送バー１２５は受け台１０に固定される固定バー１２６に固定される。
【００３８】
即ち、前記駆動プーリー１２３により従動プーリー１２４が回転すれば、前記従動プーリー１２４に偏心設置されている移送バー１２５が左右方向に移送される。この際、前記移送バー１２５は前記固定バー１２６に固定されているため、前記垂直プレート１２２が左右方向に移動し、前記垂直プレート１２２には前記支持プレート１１０が連動するので、最終的に、前記支持プレート１１０が左右方向に移送される。
【００３９】
このような本発明の構成により前記支持プレート１１０上に設置される鞍が左右方向に移送される。
【００４０】
一方、前述したように、前記垂直プレート１２２は支持プレート１１０に連動するが、図示したように、前記左右移送部１２０は、前記垂直プレート１２２の底面に水平方向に配置されて前記支持プレート１１０に固定される水平プレート１２１を含むことも可能である。
【００４１】
また、前記従動プーリー１２４及び駆動プーリー１２３は、図示したように、ベルトにより間接的に連動することも可能であり、広く知られたように、歯車結合のような直接結合により連動することも可能である。
【００４２】
前述したように、従動プーリー１２４は駆動プーリー１２３により回転されるが、前記左右移送部１２０は、前記駆動プーリー１２３を駆動する左右駆動部１３０を含むことも可能である。
【００４３】
前記左右駆動部１３０は、前記駆動プーリー１２３を回転できるものである限り、多様な構成を使用することができる。図４に示すように、前記左右駆動部１３０は、外部動力により回転するものであって、前記垂直プレート１２２の他側面に設置される第１プーリー１３１と、前記第１プーリー１３１の一側に配置されて連動する一方、前記駆動プーリー１２３と直接連結される第２プーリー１３２を含むことも可能である。
【００４４】
即ち、図示したように、前記駆動プーリー１２３及び従動プーリー１２４が垂直プレート１２２の図面上の左側面に設置されていれば、前記第１プーリー１３１は前記垂直プレート１２２の図面上の右側面に設置できる。
【００４５】
この際、前記第１プーリー１３１は、前述したように、外部動力により回転されることができ、前記第１プーリー１３１から動力の伝達を受ける第２プーリー１３２は歯車結合などのような直接結合方式により動力の伝達を受けることも可能であり、図示したように、前記垂直プレート１２２の図面上の右側面であって、前記第１プーリー１３１の図面上の下側方向に設置された後、ベルトなどにより間接結合方式により動力の伝達を受けることも可能である。
【００４６】
一方、前記第２プーリー１３２は、前述したように、駆動プーリー１２３と直接連結されることも可能であり、このために、図３ａ、図３ｂ、及び図４に示すように、第２プーリー１３２と駆動プーリー１２３が垂直プレート１２２を挟んで対向するように設置され、かつ前記駆動プーリー１２３と第２プーリー１３２の半径を異にして、駆動プーリー１２３と連動する従属プーリー１２４を減速するようにすることも可能である。
【００４７】
前記第１プーリー１３１は、前述したように、外部動力により回転され、このために多様な構成を使用することができるが、図４に示すように、前記第１プーリー１３１は、前記第１プーリー１３１に連結されて前記第１プーリー１３１を駆動する動力ケーブル１３４をさらに含むことも可能である。
【００４８】
前記動力ケーブル１３４は、広く知られたように、ワイヤーなどのような柔軟な材質であって、回転力を伝達するものであって、図示したように、ゴムホースなどのような外部保護部材の内部に設置されて外部動力により回転するケーブルをいう。
【００４９】
このような動力ケーブル１３４が前記第１プーリー１３１に直接設置されて、前記動力ケーブル１３４の回転により前記第１プーリー１３１を回転させる。
【００５０】
一方、前記外部動力としては多様な構成を使用することができるが、図５に示すように、前記外部動力としては、電動モータなどの動力源１７０と、前記動力源１７０に連結されて１次減速する減速部１８０とを有する外部動力であってもよい。
【００５１】
特に、前記減速部１８０を通じて伝達される動力を前記動力ケーブル１３４に伝達するために、外部動力は、図５及び図６に示すような動力伝達部１６０を含むことができる。
【００５２】
前記動力伝達部１６０は、図示したように、前記減速部１８０に連結されて動力を伝達するベルト１６３と、前記ベルト１６３により動力が伝達され、且つ、前記動力ケーブル１３４を回転させる回転プーリー１６２とを含む。
【００５３】
この際、前記回転プーリー１６２は、図示したような支持ブラケット１６１に設置されることができ、前記支持ブラケット１６１は多様な場所に設置できる。これは、前記動力ケーブル１３４が柔軟な材質からなるため、前記支持ブラケット１６１の設置場所の選定に大きい制限はない。
【００５４】
以上、説明したように前記動力源１７０から出発して前記動力ケーブル１３４を経て最終的に従動プーリー１２４まで動力が伝達されるが、この際、前記動力源１７０と従動プーリー１２４の回転比が、２：１の割合になるように減速するようにすることも可能である。
【００５５】
以上、説明したような本発明の多方向往復運動装置を用いた乗馬運動装置２００について図７を参照して説明する。
【００５６】
前記乗馬運動装置２００は、前記支持プレート１１０の両側端に前記受け台１０方向に沿って設けられ、鞍Ｓ（図２参照、以下、同一）が設置される鞍支持台２１０（図２参照）と、一側は前記鞍支持台２１０に設置され、他側は前記往復運動装置の支持フレーム１の一側に設置される支持バーユニットＢＵと、前記支持バーユニットＢＵに設置されて前記鞍Ｓに座る使用者を支持する支持具２８０を含むことができる。
【００５７】
即ち、前記乗馬運動装置２００は、前述した従来の受け台１０上に前述した本発明の多方向往復運動装置を備え、さらに、前記従来の受け台１０及び昇降部材３０と移送部材２０は、韓国登録特許第１０−０４６９６４５号に記載されたものである。
【００５８】
即ち、前記乗馬運動装置２００は、前記従来の昇降部材３０及び移送部材２０により受け台１０が前後及び上下方向に移動して、前記支持プレート１１０及び鞍支持台２１０に設置された鞍Ｓが前後及び上下方向に移動するようになる。
【００５９】
この際、前記支持プレート１１０及び鞍支持台２１０は、本発明の多方向往復移動装置により左右方向に移動するので、前記鞍Ｓは最終的に上下及び前後と左右方向の全ての方向に移動可能になる。
【００６０】
一方、前記鞍Ｓには使用者が座るようになるが、もし前記使用者が患者などのように体力の弱い人の場合、使用者が前記鞍Ｓから落下する危険性があるので、本発明に係る乗馬運動装置２００は、使用者に装着して、使用者が前記鞍Ｓから落下することを防止する支持具２８０と、前記支持具２８０を支持する支持バーユニットＢＵを含むものである。
【００６１】
このために、前記支持バーユニットＢＵの一側は前記鞍支持台２１０に設置されて前記鞍支持台２１０の運動によって前後左右及び上下方向に運動をすることができ、前記支持バーユニットＢＵの他側は支持フレーム１に固定される。
【００６２】
前記支持フレーム１は、図示したように、前述した従来の乗馬運動装置の一側に設置されることができ、その位置は制限されない。
【００６３】
一方、前記支持バーユニットＢＵは、前述したように、支持具２８０を支持することができる限り、多様な構成を採択することができるが、図示したように、前記支持バーユニットＢＵは、前記鞍支持台２１０の両側に回動可能に設置され、かつ垂直方向に設置される後方支持バー２２０と、前記往復運動装置の支持フレーム１の一側に垂直方向に設置される前方支持バー２４０と、前記後方支持バー２２０と前方支持バー２４０とを連結する水平支持バー２３０を含むことも可能である。
【００６４】
即ち、前記支持バーユニットＢＵは、前記鞍支持台２１０の一側に垂直方向に設置される後方支持バー２２０、及び支持フレーム１に垂直方向に設置されるものであって、前方向（図面上、右側方向）に離隔する前方支持バー２４０を含む。
【００６５】
この際、前記水平支持バー２３０は前記後方支持バー２２０と前方支持バー２４０とを水平方向に連結し、前記支持具２８０は前記水平支持バー２３０または後方支持バー２２０の一側に固定されて使用者が鞍Ｓから落下しないように支持することができる。
【００６６】
一方、前記水平支持バー２３０は、前記前方支持バー２４０に対して上下方向に回動可能に設置されたり水平方向に回動可能に設置されたりすることも可能である。
【００６７】
勿論、前記後方支持バー２２０は、前述したように鞍支持台２１０の両側に回動可能に設置されることも可能である。
【００６８】
このために、前記後方支持バー２２０は、前記鞍支持台２１０の両側にバー形状で、かつ垂直方向に配置される一対の支持バー２２１、２２２を含むことができる。
【００６９】
また、前記前方支持バー２４０は、図示したように、垂直方向に配置されたカタカナのコの字の形状であり、前記前方支持バー２４０の開放された両側端を前記支持フレーム１に設置することができる。
【００７０】
この際、前記支持フレーム１は、運動装置が設置されるものであって、固定されている状態であれば、その形状は限定されない。
【００７１】
また、前記水平支持バー２３０は、コの字の形状であって、前記水平支持バー２３０の開放された両側端は前記後方支持バー２２０に各々上下方向に回動可能に設置される。
【００７２】
図示したように、前記水平支持バー２３０の端部２３１が前記後方支持バー２２０に設置されるベアリングＢＲＧに装着されて、前記水平支持バー２３０は、前記後方支持バー２２０に対して回動可能に設置できる。
【００７３】
また、前記水平支持バー２３０と前方支持バー２４０の当接する部分、即ち、コの字の形状のうち、開放された部分の反対側である連結部２３０Ａ、２４０Ａは、相互に上下方向の運動及び水平方向の運動が可能なように設置される。
【００７４】
前記水平支持バー２３０と前方支持バー２４０の当接する部分には、前記前方支持バー２４０の連結部２４０Ａに水平方向に設置されて上下方向に回動可能にするピン部材２５０が設けられる。
【００７５】
また、前記水平支持バー２３０と前方支持バー２４０の当接する部分には、一側は前記ピン部材２５０に設置され、他側は前記水平支持バー２３０の連結部２３０Ａに設置され、かつ水平方向に前記水平支持バー２３０と前方支持バー２４０を回動可能にするヒンジ部材２６０が設けられる。
【００７６】
即ち、前記前方支持バー２４０及び水平支持バー２３０に各々設置されるピン部材２５０及びヒンジ部材２６０により、前記水平支持バー２３０と前方支持バー２４０は、上下方向の回転及び水平方向の回転が可能になる。
【００７７】
即ち、前記ピン部材２５０は、図示したように、前記前方支持バー２４０の連結部２４０Ａに設置されるピン固定部２５２と、前記ピン固定部２５２の間に設置されるピン２５１とを含み、前記ピン２５１が前記ピン固定部２５２に対して回転可能に設置される。
【００７８】
また、前記ヒンジ部材２６０は、前記ピン２５１に高さ方向に離隔して設置される一対の固定プレート２６１、及び前記固定プレート２６１の間に挿入されて水平方向に回転する回転部２６２を含む。
【００７９】
即ち、前記ピン２５１が上下方向に回転するので、前記ピン２５１に設置されるヒンジ部材２６０が上下方向に回転し、これにより水平支持バー２３０が前記ピン部材２５０を中心として上下方向に回転するようになる。
【００８０】
また、ヒンジ部材２６０は前記ピン２６１に設置されて左右方向及び水平方向に回転するようになるので、前記水平支持バー２３０は、上下方向は勿論、左右水平方向に回転できるようになる。
【００８１】
これは、前述したように、本発明の多方向往復運動器具によれば、上下及び前後方向だけでなく、左右方向に移動可能であるので、前述したような水平支持バー２３０の上下方向回転及び左右方向回転が必要となる。
【００８２】
勿論、前後方向の移動も前記水平支持バー２３０の上下方向の運動により可能となる。
【００８３】
一方、前記支持具２８０は、図示したように、使用者に装着する支持具本体２８１と、前記支持具本体２８１の上部方向に設置されて前記水平支持バー２３０または後方支持バー２４０に係止される固定紐２８２とを含むことができる。
【００８４】
支持具２８０は、前記支持具本体２８１の下側に形成されて使用者の両足が入ることができる足挿入部２８３を含むことも可能である。
【００８５】
このような本発明の支持具２８０により使用者がより安定的に鞍Ｓの上に座ることができるようになる。
【００８６】
一方、前記固定紐２８２は、図示したように、水平支持バー２３０に設置されることも可能であり、このために、前記固定紐２８２は、前記固定紐２８２の一側に付着される係止具２８５と、前記水平支持バー２３０に設置されて前記係止具２８５が装着される係止リング２８４を含むことができる。
【００８７】
以上、説明したような本発明の乗馬運動装置２００を使用して使用者が乗馬運動する方法について説明する。
【００８８】
まず、鞍Ｓに座っている使用者に支持具２８０を装着する。この際、前記支持具２８０は前記水平支持バー２３０または後方支持バー２２０に固定された状態である。
【００８９】
この際、鞍Ｓが左右方向に運動し、且つ、前記往復運動装置に設置された昇降部材３０及び移送部材２０により、鞍Ｓが上下方向及び前後方向に運動する。したがって、前記鞍Ｓに座っている使用者は左右方向及び上下方向、そして前後方向に運動することができるようになる。
【００９０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９１】
１    支持フレーム
１０    受け台
２０    輸送部材
３０    昇降部材
１００    左右運動部
１１０    支持プレート
１２０    左右移送部
１２１    水平プレート
１２２    垂直プレート
１２３    駆動プーリー
１２４    従動プーリー
１２５    移送バー
１２６    固定バー
１３０    左右駆動部
１３１    第１プーリー
１３２    第２プーリー
１３４    動力ケーブル
２００    乗馬運動装置
２１０    鞍支持台
２２０    後方支持バー
２３０    水平支持バー
２４０    前方支持バー
２５０    ピン部材
２６０    ヒンジ部材
２８０    支持具
Ｂ    回転バー
Ｂ１    ハウジング
Ｂ２    連結バー
ＢＲＧ    ベアリング
ＢＵ    支持バーユニット
Ｆ    支持バー
Ｓ    鞍
【図１】
0005890047.tif 000002
【図２】
0005890047.tif 000003
【図３ａ】
0005890047.tif 000004
【図３ｂ】
0005890047.tif 000005
【図４】
0005890047.tif 000006
【図５】
0005890047.tif 000007
【図６】
0005890047.tif 000008
【図７】
0005890047.tif 000009